(57)【要約】【課題】溶湯を注入するために、ほぼ鉛直な第１湯道と、上記第１湯道の下端部に連なるほぼ水平な第２湯道とを備えた金型鋳造装置において、鋳造巣や鋳造不良の低減を図る。【解決手段】上記第１湯道の下端部にセラミックフィルタが設けられ、上記セラミックフィルタの上面と上記第２湯道に連なる側面とを除く外面は湯道底面または湯道内壁面に密着して塞がれ、上方から上記第１湯道内を落下し上記セラミックフィルタに達した溶湯が、流れ方向をセラミックフィルタ内でほぼ水平に方向を変え、上記第２湯道へ流出し、製品部空間へ充填されることを特徴とする金型製造装置である。【選択図】          図１
2006043756.tif 000002
【特許請求の範囲】
【請求項１】
溶湯を注入するために、ほぼ鉛直な第１湯道と、上記第１湯道の下端部に連なるほぼ水平な第２湯道とを備えた金型鋳造装置において、
上記第１湯道の下端部にセラミックフィルタが設けられ、上記セラミックフィルタの上面と上記第２湯道に連なる側面とを除く外面は湯道底面または湯道内壁面に密着して塞がれ、上方から上記第１湯道内を落下し上記セラミックフィルタに達した溶湯が、流れ方向をセラミックフィルタ内でほぼ水平に方向を変え、上記第２湯道へ流出し、製品部空間へ充填されることを特徴とする金型製造装置。
【発明の詳細な説明】
【技術分野】
【０００１】
本発明は、アルミニウム合金を用いた重力鋳造法によってタイヤ成型用金型等を精密鋳造する場合に用いられる金型鋳造装置に関するものである。
【背景技術】
【０００２】
図４は従来のタイヤ成形用金型鋳造装置51の縦断面図であり、図５は図４のＶ−Ｖ断面図である。タイヤ成形用の金型を重力鋳造法によって製造する鋳造装置は、分割された石膏製の鋳型52を中央保持部材53の回りに円形に配列し、上部保持部材54でこれらの鋳型を保持して構成された中子55と、上記中子55を取り囲む石膏製の環状枠型56と、上記中子55と環状枠型56とを固定する底型57とから構成されている。中子55と環状枠型56と底型57とに囲まれた円環状空間が製品部空間58である。上記環状枠型56の一端部には、溶湯を流し込む溶湯受け口59、同溶湯受け口59の下部に連なる鉛直湯道60、同鉛直湯道60の下端部に連なる水平湯道61が設けられ、同水平湯道61の端部が製品部空間58に開口する注湯口62となっている。
【０００３】
鋳造を行う場合は、溶融アルミニウム合金が溶湯受け口59から流し込まれ、これが鉛直湯道60を経由して落下し、水平湯道61を経て注湯口62から製品部空間58に注入される（例えば、特許文献１参照。）。
【０００４】
溶融アルミニウム合金中には、スラグやその他の固形酸化物が混入していることが多いので、図４に示されるように、鉛直湯道60の途中にセラッミック多孔体からなるセラミックフィルタ63を配置してスラグ等固形不純物を濾過し、浄化された溶湯を製品部空間58に注入することが行われている。
【０００５】
図６は上記装置の鉛直湯道60から水平湯道61を経て注湯口62に至る溶湯64の流れを示す模式斜視図である。鉛直湯道60の中ほどに湯道内壁面66に支持されたセラミックフィルタ63が設けてある。鉛直湯道60に注入された溶湯64はセラミックフィルタ63を通過し、通過中にスラグやその他の固形酸化物が除去される。セラミックフィルタ63通過後の溶湯は、鉛直湯道60の下半部を再び落下し、鉛直湯道60の底面65に衝突し、そこに落下旋流67が発生して流れが乱れ、酸化物が発生して溶湯に混入される。乱流状態68の溶湯64が水平湯道61を経て注湯口62から送出され、製品部空間58へ充填される。
【０００６】
【特許文献１】特許第２７９６０１０号公報（図１０）。
【発明の開示】
【発明が解決しようとする課題】
【０００７】
溶湯に落下旋流や乱流が発生すると溶湯に気泡が混入する。これが製品部空間に充填されると製品の鋳造巣となる。また落下旋流で生じた酸化物は鋳造不良の原因となる。これらはセラッミックフィルタの配置に問題があるからである。本発明は、鋳造巣や鋳造不良の低減を考慮した金型鋳造装置を提供しようとするものである。
【課題を解決するための手段】
【０００８】
本発明は上記課題を解決したものであって、請求項１に記載の発明は、溶湯を注入するために、ほぼ鉛直な第１湯道と、上記第１湯道の下端部に連なるほぼ水平な第２湯道とを備えた金型鋳造装置において、上記第１湯道の下端部にセラミックフィルタが設けられ、上記セラミックフィルタの上面と上記第２湯道に連なる側面とを除く外面は湯道底面または湯道内壁面に密着して塞がれ、上方から上記第１湯道内を落下し上記セラミックフィルタに達した溶湯が、流れ方向をセラミックフィルタ内でほぼ水平に方向を変え、上記第２湯道へ流出し、製品部空間へ充填されることを特徴とする金型製造装置に関するものである。
【発明の効果】
【０００９】
請求項１の発明においては、上記第１湯道の下端部にセラミックフィルタが設けられているので、セラミックフィルタのクッション作用によって、溶湯の落下衝撃が緩和され、落下旋流の発生が防止される。従ってセラミックフィルタに流入する前の溶湯において、気泡や酸化物の混入が低減されている。
【００１０】
セラミックフィルタの内部で、セラミックフィルタからの溶湯の流出方向が第２湯道の方向となるよう緩やかに方向転換され、整流されて流出するので、従来のような落下衝撃や落下旋流による方向転換に際して生じた乱流は発生しない。したがって、気泡や酸化物の混入が低減される。
【００１１】
セラミックフィルタから流出した溶湯は、水平な第２湯道を経て製品部空間へ送られるので、従来のような、セラミックフィルタから出た後、再び落下するということはなく、落下衝撃や落下旋流による気泡や酸化物の混入は起こらない。以上の理由によって、鋳造巣発生や酸化物による製品の鋳造不良が防止される。
【発明を実施するための最良の形態】
【００１２】
図１は本発明の第１実施形態に係るタイヤ成形用金型鋳造装置１の縦断面図であり、図２は図１のＩＩ−ＩＩ断面図である。本装置は、タイヤ成形用の金型を重力鋳造法によって製造する鋳造装置であって、分割された石膏製の鋳型２を中央保持部材３の回りに円形に配列し、上部保持部材４でこれらの鋳型を保持して構成された中子５と、上記中子５を取り囲む石膏製の環状枠型６と、上記中子５と環状枠型６とを固定する底型７とから構成されている。中子５と環状枠型６と底型７とに囲まれた円環状空間が製品部空間８であり、ここに注入されたアルミニウム合金が製品となる。上記環状枠型６の一端部には、溶湯を流し込む溶湯受け口９、同溶湯受け口９の下部に連なる鉛直湯道10、同鉛直湯道10の下端部に連なる水平湯道11が設けられ、同水平湯道11の端部が製品部空間８に開口する注湯口12となっている。鉛直湯道10の下端部に湯道底面15と湯道内壁面16に密着してセラミック多孔体からなるセラミックフィルタ13が置かれている。
【００１３】
図３は上記装置の鉛直湯道10から水平湯道11を経て注湯口12に至る湯道の構成と溶湯14の流れを示す模式斜視図である。セラミックフィルタ13の上面と水平湯道11に連なる側面とを除く外面は、湯道底面15または湯道内壁面16に密着させて塞がれている。
【００１４】
本装置によってタイヤ成形用金型鋳造を行う場合は、まず溶湯受け口９から溶融アルミニウム合金を流し込む。溶融アルミニウム合金は鉛直湯道10内を落下し、鉛直湯道10の下端部でセラミックフィルタ13上に落下する。この時、セラミックフィルタ13のクッション性によって衝撃が緩和されるので、落下衝撃や落下旋流は生じない。溶融アルミニウム合金の溶湯はセラミックフィルタ13の中に染み込み、その中で緩やかに水平に方向転換し、水平湯道11の方へ排出される。溶融アルミニウム合金中に混入していたスラグやその他の固形酸化物はセラミックフィルタ13によって捕捉される。セラミックフィルタ13内では緩やかに方向転換され、整流されるので、気泡の混入は生じない。スラグやその他の固形酸化物が除去され整流状態19となった溶湯は水平湯道11内を進み、注湯口12を経て製品部空間８へ静かに注入される。
【００１５】
以上詳述したように、本実施形態のタイヤ成形用金型鋳造装置１においては、鉛直湯道10の下端部にセラミックフィルタ13が設けられているので、セラミックフィルタ13のクッション作用によって、溶湯の落下衝撃が緩和され、落下旋流の発生が防止され、従ってセラミックフィルタ13に流入する前の溶湯において、気泡や酸化物の混入が低減される。
【００１６】
また、セラミックフィルタ13の内部で、セラミックフィルタ13からの溶湯の流出方向が水平湯道11の方向となるように緩やかに方向転換され、整流されて流出するので、乱流は発生しない。したがって、気泡や酸化物の混入が生じない。
【００１７】
さらに、セラミックフィルタ13から流出した溶湯は、水平湯道11を経て直ちに製品部空間８へ送られ、従来のような、セラミックフィルタから出た後、再び落下するということはないので、落下衝撃や落下旋流による気泡や酸化物の混入は起こらない。したがって、鋳造巣発生や酸化物による製品の鋳造不良が防止される。
【図面の簡単な説明】
【００１８】
【図１】本発明の実施形態に係るタイヤ成形用金型鋳造装置の縦断面図である。
【図２】図１のＩＩ−ＩＩ断面図である。
【図３】上記装置の湯道の構成と溶湯の流れを示す模式斜視図である。
【図４】従来のタイヤ成形用金型鋳造装置の縦断面図
【図５】図４のＶ−Ｖ断面図である。
【図６】上記装置の湯道の構成と溶湯の流れを示す模式斜視図である。
【符号の説明】
【００１９】
１…本発明のタイヤ成形用金型鋳造装置、２…石膏製の鋳型、３…中央保持部材、４…上部保持部材、５…中子、６…環状枠型、７…底型、８…製品部空間、９…溶湯受け口、10…鉛直湯道、11…水平湯道、12…注湯口、13…セラミックフィルタ、14…溶湯、15…湯道底面、16…湯道内壁面、19…整流状態。
【図１】
2006043756.tif 000003
【図２】
2006043756.tif 000004
【図３】
2006043756.tif 000005
【図４】
2006043756.tif 000006
【図５】
2006043756.tif 000007
【図６】
2006043756.tif 000008